(57)【特許請求の範囲】
【請求項１】
ホスト及びデバイスの関係に基づく第１の無線通信プロトコルに従って機器と無線通信を行う無線通信装置であって、
接続される機器をホストとして識別する第１の識別情報と、所定の第２の無線通信プロトコルにおいて前記接続される機器を識別する第２の識別情報とを相互に関連付けて記憶する識別情報記憶手段と、
前記第２の無線通信プロトコルに従って機器と無線通信を行い、該機器の第２の識別情報を受信する識別情報受信手段と、
前記識別情報記憶手段を参照して、前記識別情報受信手段によって受信された前記第２の識別情報に関連付けられた第１の識別情報を取得する識別情報取得手段と、
前記識別情報取得手段によって取得された前記第１の識別情報に対応する前記機器に、前記第１の無線通信プロトコルに従う無線リンクを確立するための接続要求を送信する接続要求送信手段とを有する無線通信装置。
【請求項２】
前記接続される機器の第１の識別情報に関連付けられた設定状態を有する機械的な機器切替え手段を更に有し、
前記識別情報取得手段は、前記識別情報受信手段によって受信された前記第２の識別情報に関連付けられた第１の識別情報を前記識別情報記憶手段から取得できない場合に、前記機器切替え手段の現在の設定状態に関連付けられた第１の識別情報を取得する、請求項１記載の無線通信装置。
【請求項３】
有線によって又は前記第２の無線通信プロトコルに従って前記接続される機器と通信して、該機器の第１の識別情報を取得し、前記機器切替え手段の設定状態と関連付ける識別情報関連付け手段を更に有し、
前記識別情報記憶手段は、前記機器切替え手段の設定状態と、該設定状態に関連付けられた第１の識別情報とを更に記憶する、請求項２記載の無線通信装置。
【請求項４】
前記接続要求送信手段によって前記接続要求を送信した機器との接続状態を判別する接続状態判別手段と、
前記接続状態判別手段によって前記機器との間に無線リンクが確立されていないと判断される場合に、当該無線通信装置の電源をオフする電力供給制御手段とを更に有する、請求項１乃至３のうちいずれか一項記載の無線通信装置。
【請求項５】
前記接続要求送信手段によって接続要求を送信した機器との間に確立された無線リンクにおいて無線通信が行われているかどうかを判断する無線通信確認手段を更に有し、
前記電力供給制御手段は、前記無線通信確認手段によって前記無線通信が行われていないと判断される場合に当該無線通信装置の電源をオフする、請求項４記載の無線通信装置。
【請求項６】
前記接続要求送信手段によって前記接続要求を送信した機器との接続状態を判別する接続状態判別手段と、
前記接続状態判別手段による判別結果を表示する接続状態表示手段とを更に有する、請求項１乃至３のうちいずれか一項記載の無線通信装置。
【請求項７】
前記接続される機器から当該無線通信装置へのアクセス制限を設定するアクセス制限設定手段と、
前記アクセス制限設定手段の設定状態に基づいて、前記機器との間に確立された無線リンクにおけるデータ入出力を制御するデータ入出力制御手段とを更に有する、請求項１乃至６のうちいずれか一項記載の無線通信装置。
【請求項８】
前記第１の無線通信プロトコルはワイヤレスＵＳＢである、請求項１記載の無線通信装置。
【請求項９】
前記第２の無線通信プロトコルはＮＦＣＩＰである、請求項１記載の無線通信装置。
【請求項１０】
ホスト及びデバイスの関係に基づく第１の無線通信プロトコルに従って機器と無線通信を行う無線通信装置における通信制御方法であって、
所定の第２の無線通信プロトコルに従って機器と無線通信を行い、該機器の第２の識別情報を受信する識別情報受信ステップと、
接続される機器をホストとして識別する第１の識別情報と、前記第２の無線通信プロトコルにおいて前記接続される機器を識別する第２の識別情報とを相互に関連付けて記憶する識別情報記憶手段を参照して、前記識別情報受信ステップで受信された前記第２の識別情報に関連付けられた第１の識別情報を取得する識別情報取得ステップと、
前記識別情報取得ステップで取得された前記第１の識別情報に対応する前記機器に、前記第１の無線通信プロトコルに従う無線リンクを確立するための接続要求を送信する接続要求送信ステップとを有する通信制御方法。
【請求項１１】
前記識別情報取得ステップは、前記識別情報受信ステップで受信された前記第２の識別情報に関連付けられた第１の識別情報を前記識別情報記憶手段から取得できない場合に、当該無線通信装置に設けられ、前記接続される機器の第１の識別情報に関連付けられた設定状態を有する機械的な機器切替え手段の現在の設定状態から前記第１の識別情報を取得するステップを有する、請求項１０記載の通信制御方法。
【請求項１２】
有線によって又は前記第２の無線通信プロトコルに従って前記接続される機器と通信して、該機器の第１の識別情報を取得し、前記機器切替え手段の設定状態と関連付ける識別情報関連付けステップを更に有する、請求項１１記載の通信制御方法。
【請求項１３】
前記接続要求送信ステップで前記接続要求を送信した機器との接続状態を判別する接続状態判別ステップと、
前記接続状態判別ステップで前記機器との間に無線リンクが確立されていないと判断される場合に、当該無線通信装置の電源をオフする電力供給制御ステップとを更に有する、請求項１０乃至１２のうちいずれか一項記載の通信制御方法。
【請求項１４】
前記接続要求送信ステップで接続要求を送信した機器との間に確立された無線リンクにおいて無線通信が行われているかどうかを判断する無線通信確認ステップを更に有し、
前記電力供給制御ステップは、前記無線通信確認ステップで前記無線通信が行われていないと判断される場合に当該無線通信装置の電源をオフするステップを有する、請求項１３記載の通信制御方法。
【請求項１５】
前記接続要求送信ステップで前記接続要求を送信した機器との接続状態を判別する接続状態判別ステップと、
前記接続状態判別ステップにおける判別結果を表示する接続状態表示ステップとを更に有する、請求項１０乃至１２のうちいずれか一項記載の通信制御方法。
【請求項１６】
前記接続される機器から当該無線通信装置へのアクセス制限を設定するアクセス制限設定ステップと、
前記アクセス制限設定ステップで設定された前記アクセス制限に基づいて、前記機器との間に確立された無線リンクにおけるデータ入出力を制御するデータ入出力制御ステップとを更に有する、請求項１０乃至１５のうちいずれか一項記載の通信制御方法。
【請求項１７】
前記第１の無線通信プロトコルはワイヤレスＵＳＢである、請求項１０記載の通信制御方法。
【請求項１８】
前記第２の無線通信プロトコルはＮＦＣＩＰである、請求項１０記載の通信制御方法。
【請求項１９】
ホスト及びデバイスの関係に基づく第１の無線通信プロトコルに従って機器と無線通信を行う無線通信装置における通信制御プログラムであって、
コンピュータに、
所定の第２の無線通信プロトコルに従って機器と無線通信を行い、該機器の第２の識別情報を受信する識別情報受信ステップと、
接続される機器をホストとして識別する第１の識別情報と、前記第２の無線通信プロトコルにおいて前記接続される機器を識別する第２の識別情報とを相互に関連付けて記憶する識別情報記憶手段を参照して、前記識別情報受信ステップで受信された前記第２の識別情報に関連付けられた第１の識別情報を取得する識別情報取得ステップと、
前記識別情報取得ステップで取得された前記第１の識別情報に対応する前記機器に、前記第１の無線通信プロトコルに従う無線リンクを確立するための接続要求を送信する接続要求送信ステップとを実行させる通信制御プログラム。
【請求項２０】
請求項１９記載のプログラムを記録したコンピュータ読み取り可能な記録媒体。
【発明の詳細な説明】
【技術分野】
【０００１】
本発明は、無線通信装置、通信制御方法、通信制御プログラム及びその記録媒体に関する。
【背景技術】
【０００２】
ＵＳＢ（Ｕｎｉｖｅｒｓａｌ  Ｓｅｒｉａｌ  Ｂｕｓ）インターフェース（Ｉ／Ｆ）を備えた機器において、使用頻度の高いものの１つとして、いわゆるＵＳＢメモリが知られる。ＵＳＢメモリは、データの共有、交換及び移動を主たる用途とする、持ち運び可能な不揮発性メモリである。
【０００３】
ＵＳＢメモリが多用される大きな理由は、パーソナルコンピュータ（ＰＣ）等のホスト端末の仕様に依らず、ホスト端末のＵＳＢＩ／Ｆに接続することでホスト端末にすぐに認識され、容易に外部メモリとして使用することができる、という使い勝手の良さのためである。例えば、ユーザは、勤務先でプレゼンテーション用資料のファイルをＵＳＢメモリに格納し、プレゼンテーション会場でこのＵＳＢメモリをＰＣに接続してファイルと開き、プレゼンテーションを行うことが可能である。また、他の理由として、ＵＳＢメモリは、有線でホスト端末に接続される場合、ホスト端末からＵＳＢＩ／Ｆを介して電力を供給されるので、電源回路を有する必要がないことが挙げられる。
【０００４】
一方で、近年、オフィスや家庭における通信ネットワークでは、近距離無線通信技術の発展に伴って、従来の有線による通信システムに代わって、無線による通信システムが普及しつつある。特に、ＵＷＢ（Ｕｌｔｒａ  Ｗｉｄｅ  Ｂａｎｄ）方式を採用するワイヤレスＵＳＢは、Ｂｌｕｅｔｏｏｔｈ（登録商標）や無線ＬＡＮ（Ｌｏｃａｌ  Ａｒｅａ  Ｎｅｔｗｏｒｋ）等の他の無線通信システムと比べて大容量のデータを高速に送受信することが可能であるため、次世代の無線通信技術として期待されている。
【０００５】
また、ワイヤレスＵＳＢによる通信システムは、多対多の通信を想定した他の無線通信システムとは異なり、通信を行う機器間に「ホスト（例えば、パーソナルコンピュータ（ＰＣ）及びゲーム機等。）」及び「デバイス（即ち、ホストに接続される周辺機器。）」という主従関係を予め定めて、そのネットワーク接続形態を１対多に限定することによって回路規模の低減を実現する。この主従関係を定めるため手順は一般に「アソシエーション」と呼ばれており、無線通信を行う前にホストとデバイスとの間をＵＳＢケーブルで接続することによるケーブル・アソシエーションや、端末に表示された数字を入力することによるニューメリック・アソシエーションがある。
【０００６】
図１２は、ワイヤレスＵＳＢのアソシエーション手順を説明するフロー図である。ステップＳ１００１で、ホストは、そのホストを識別するための識別情報であるＣＨＩＤ（Ｃｏｎｎｅｃｔｉｏｎ  Ｈｏｓｔ  ＩＤ）をデバイスに対して通知する。ステップＳ１００２で、デバイスは、受け取ったＣＨＩＤを自身のメモリ（例えば、不揮発メモリ。）に保存する。次いで、ステップＳ１００３で、デバイスは、そのデバイスを識別するための識別情報であるＣＤＩＤ（Ｃｏｎｎｅｃｔｉｏｎ  Ｄｅｖｉｃｅ  ＩＤ）をホストに対して通知する。ステップＳ１００４で、ホストは、自身の識別情報ＣＨＩＤと、デバイスから受け取ったＣＤＩＤと、ホスト及びデバイスを相互に関連付けるための関連付け情報ＣＫ（Ｃｏｎｎｅｃｔｉｏｎ  Ｋｅｙ）とから成る接続情報ＣＣ（Ｃｏｎｎｅｃｔｉｏｎ  Ｃｏｎｔｅｘｔ）を生成し、ステップＳ１００５でデバイスに通知する。最後にステップＳ１００６で、ホスト及びデバイスの夫々において接続情報ＣＣがメモリに保存される。このように、接続情報ＣＣがホスト及びデバイスで共有されることにより、アソシエーションが完了する。
【０００７】
このような状況において、従来有線で使用されていたＵＳＢメモリに関しても、無線化しようとする動きがある。ＵＳＢメモリの無線化は、ホスト端末においてＵＳＢメモリを物理的に接続することが困難な場所にＵＳＢＩ／Ｆがある場合、及び、セキュリティ上ＵＳＢメモリを特定の場所から移動することができない場合に有用であり、また、ホスト端末へ有線で接続する手間を省くことができる。
【０００８】
特開２００６−２６８８３１号公報（特許文献１）は、ワイヤレストランシーバ機能を利用するＵＳＢメモリキーを開示する。このＵＳＢメモリキーは、通信相手となるコンピュータ機器のワイヤレス有効範囲に置かれることによって、その機器との間に無線リンクを確立することができる。
【０００９】
また、特開２００６−２３８４１３号公報（特許文献２）は、有線ＵＳＢ規格に従う通信方法と、有線ＵＳＢ規格とは異なる無線通信方法とを切り替え可能な装置等を開示する。更に、特許文献２は、無線ホストとＵＳＢデバイスとの間で行われる通信の手順を開示する。
【特許文献１】特開２００６−２６８８３１号公報
【特許文献２】特開２００６−２３８４１３号公報
【発明の開示】
【発明が解決しようとする課題】
【００１０】
しかし、上記特許文献１及び特許文献２に開示される技術による無線化には、無線リンクを確立するための工程が複雑であるという問題がある。上述したように、ワイヤレスＵＳＢによる無線通信では、予めアソシエーションによって無線通信を行う機器間に「ホスト」及び「デバイス」という主従関係を定める必要がある。そのような関係の下、ホストとデバイスとの間に無線リンクを確立するためには、デバイスは、新しい接続を受け付けているホストを探し、ホストに接続要求を送らなければならない。
【００１１】
また、ＵＳＢメモリでは、無線でホスト端末に接続される場合、有線で接続される場合とは異なり、ホスト端末から電力供給を受けることができないため、バッテリを内蔵する必要があるが、このバッテリの使用可能期間を長くするために、可能な限り無駄な電力消費を抑制しなければならないという問題がある。
【００１２】
従って、本発明は、上記問題を鑑み、ホスト及びデバイスの関係に基づく無線通信プロトコルに従う無線リンクを自動的に確立することが可能であって、且つ、データ伝送状態にない場合に自動的に電力供給を停止することが可能な無線通信装置、通信制御方法、通信制御プログラム及びその記録媒体を提供することを目的とする。
【課題を解決するための手段】
【００１３】
上記目的を達成するために、本発明の無線通信装置は、ホスト及びデバイスの関係に基づく第１の無線通信プロトコルに従って機器と無線通信を行う無線通信装置であって、接続される機器をホストとして識別する第１の識別情報と、所定の第２の無線通信プロトコルにおいて前記接続される機器を識別する第２の識別情報とを相互に関連付けて記憶する識別情報記憶手段と、前記第２の無線通信プロトコルに従って機器と無線通信を行い、該機器の第２の識別情報を受信する識別情報受信手段と、前記識別情報記憶手段を参照して、前記識別情報受信手段によって受信された前記第２の識別情報に関連付けられた第１の識別情報を取得する識別情報取得手段と、前記識別情報取得手段によって取得された前記第１の識別情報に対応する前記機器に、前記第１の無線通信プロトコルに従う無線リンクを確立するための接続要求を送信する接続要求送信手段とを有する。
【００１４】
これにより、ホスト及びデバイスの関係に基づく無線通信プロトコルに従う無線リンクを自動的に確立することが可能な無線通信装置を提供することができる。
【００１５】
また、本発明の無線通信装置は、前記接続される機器の第１の識別情報に関連付けられた設定状態を有する機械的な機器切替え手段を更に有し、前記識別情報取得手段は、前記識別情報受信手段によって受信された前記第２の識別情報に関連付けられた第１の識別情報を前記識別情報記憶手段から取得できない場合に、前記機器切替え手段の現在の設定状態に関連付けられた第１の識別情報を取得することができる。
【００１６】
また、本発明の無線通信装置は、有線によって又は前記第２の無線通信プロトコルに従って前記接続される機器と通信して、該機器の第１の識別情報を取得し、前記機器切替え手段の設定状態と関連付ける識別情報関連付け手段を更に有し、前記識別情報記憶手段は、前記機器切替え手段の設定状態と、該設定状態に関連付けられた第１の識別情報とを更に記憶することができる。
【００１７】
これにより、所定の無線通信プロトコルを利用することができない状況であっても、ホスト及びデバイスの関係に基づく無線通信プロトコルに従う無線リンクを自動的に確立することが可能な無線通信装置を提供することができる。また、無線リンクを自動的に確立するに当たって、ユーザが容易に接続先の設定を行うことができる。
【００１８】
また、本発明の無線通信装置は、前記接続要求送信手段によって前記接続要求を送信した機器との接続状態を判別する接続状態判別手段と、前記接続状態判別手段によって前記機器との間に無線リンクが確立されていないと判断される場合に、当該無線通信装置の電源をオフする電力供給制御手段とを更に有する。
【００１９】
また、本発明の無線通信装置は、前記接続要求送信手段によって接続要求を送信した機器との間に確立された無線リンクにおいて無線通信が行われているかどうかを判断する無線通信確認手段を更に有し、前記電力供給制御手段は、前記無線通信確認手段によって前記無線通信が行われていないと判断される場合に当該無線通信装置の電源をオフすることができる。
【００２０】
これにより、接続／通信状態にない場合に自動的に電源をオフすることが可能な無線通信装置を提供することができる。
【００２１】
また、本発明の無線通信装置は、前記接続要求送信手段によって前記接続要求を送信した機器との接続状態を判別する接続状態判別手段と、前記接続状態判別手段による判別結果を表示する接続状態表示手段とを更に有する。
【００２２】
これにより、無線リンクが確立されたかどうかをユーザに通知することができる。
【００２３】
また、本発明の無線通信装置は、前記接続される機器から当該無線通信装置へのアクセス制限を設定するアクセス制限設定手段と、前記アクセス制限設定手段の設定状態に基づいて、前記機器との間に確立された無線リンクにおけるデータ入出力を制御するデータ入出力制御手段とを更に有する。
【００２４】
これにより、電波の届く範囲であればどこからでもアクセスが可能である無線通信システムにおいて、セキュリティレベルを向上させることができる。
【００２５】
上記目的を達成するために、本発明の通信制御方法は、ホスト及びデバイスの関係に基づく第１の無線通信プロトコルに従って機器と無線通信を行う無線通信装置における通信制御方法であって、所定の第２の無線通信プロトコルに従って機器と無線通信を行い、該機器の第２の識別情報を受信する識別情報受信ステップと、接続される機器をホストとして識別する第１の識別情報と、前記第２の無線通信プロトコルにおいて前記接続される機器を識別する第２の識別情報とを相互に関連付けて記憶する識別情報記憶手段を参照して、前記識別情報受信ステップで受信された前記第２の識別情報に関連付けられた第１の識別情報を取得する識別情報取得ステップと、前記識別情報取得ステップで取得された前記第１の識別情報に対応する前記機器に、前記第１の無線通信プロトコルに従う無線リンクを確立するための接続要求を送信する接続要求送信ステップとを有する。
【００２６】
また、本発明の通信制御方法において、前記識別情報取得ステップは、前記識別情報受信ステップで受信された前記第２の識別情報に関連付けられた第１の識別情報を前記識別情報記憶手段から取得できない場合に、当該無線通信装置に設けられ、前記接続される機器の第１の識別情報に関連付けられた設定状態を有する機械的な機器切替え手段の現在の設定状態から前記第１の識別情報を取得するステップを有することができる。
【００２７】
また、本発明の通信制御方法は、有線によって又は前記第２の無線通信プロトコルに従って前記接続される機器と通信して、該機器の第１の識別情報を取得し、前記機器切替え手段の設定状態と関連付ける識別情報関連付けステップを更に有する。
【００２８】
また、本発明の通信制御方法は、前記接続要求送信ステップで前記接続要求を送信した機器との接続状態を判別する接続状態判別ステップと、前記接続状態判別ステップで前記機器との間に無線リンクが確立されていないと判断される場合に、当該無線通信装置の電源をオフする電力供給制御ステップとを更に有する。
【００２９】
また、本発明の通信制御方法は、前記接続要求送信ステップで接続要求を送信した機器との間に確立された無線リンクにおいて無線通信が行われているかどうかを判断する無線通信確認ステップを更に有し、前記電力供給制御ステップは、前記無線通信確認ステップで前記無線通信が行われていないと判断される場合に当該無線通信装置の電源をオフするステップを有することができる。
【００３０】
また、本発明の通信制御方法は、前記接続要求送信ステップで前記接続要求を送信した機器との接続状態を判別する接続状態判別ステップと、前記接続状態判別ステップにおける判別結果を表示する接続状態表示ステップとを更に有する。
【００３１】
また、本発明の通信制御方法は、前記接続される機器から当該無線通信装置へのアクセス制限を設定するアクセス制限設定ステップと、前記アクセス制限設定ステップで設定された前記アクセス制限に基づいて、前記機器との間に確立された無線リンクにおけるデータ入出力を制御するデータ入出力制御ステップとを更に有する。
【００３２】
上記目的を達成するために、本発明の通信制御プログラムは、ホスト及びデバイスの関係に基づく第１の無線通信プロトコルに従って機器と無線通信を行う無線通信装置における通信制御プログラムであって、コンピュータに、所定の第２の無線通信プロトコルに従って機器と無線通信を行い、該機器の第２の識別情報を受信する識別情報受信ステップと、接続される機器をホストとして識別する第１の識別情報と、前記第２の無線通信プロトコルにおいて前記接続される機器を識別する第２の識別情報とを相互に関連付けて記憶する識別情報記憶手段を参照して、前記識別情報受信ステップで受信された前記第２の識別情報に関連付けられた第１の識別情報を取得する識別情報取得ステップと、前記識別情報取得ステップで取得された前記第１の識別情報に対応する前記機器に、前記第１の無線通信プロトコルに従う無線リンクを確立するための接続要求を送信する接続要求送信ステップとを実行させることができる。
【００３３】
上記目的を達成するために、本発明の通信制御プログラムは、コンピュータ読み取り可能な記録媒体に記録され得る。
【００３４】
本発明の一実施形態として、前記第１の無線通信プロトコルはワイヤレスＵＳＢである。また、前記第２の無線通信プロトコルはＮＦＣＩＰである。
【発明の効果】
【００３５】
本発明により、ホスト及びデバイスの関係に基づく無線通信プロトコルに従う無線リンクを自動的に確立することが可能であって、且つ、データ伝送状態にない場合に自動的に電力供給を停止することが可能な無線通信装置、通信制御方法、通信制御プログラム及びその記録媒体を提供することが可能となる。
【発明を実施するための最良の形態】
【００３６】
以下、本発明を実施するための最良の形態を、添付の図面を参照して説明する。本発明の実施形態は、ワイヤレスＵＳＢを利用する、例えばＵＳＢメモリに代表される記憶装置を例に説明されるが、ワイヤレスＵＳＢに限られず、「ホスト」及び「デバイス」のような主従関係を予め定められた機器間においてのみ無線通信を認めるものであれば他の無線通信プロトコルを利用しても良く、また、記憶装置に限られず、そのような無線通信プロトコルに従って機器と無線通信を行う無線通信装置であれば如何なる装置であっても良い。
【００３７】
［記憶装置の構成］
図１は、本実施形態に従う記憶装置がホスト端末としてのＰＣに接続された無線通信ネットワークを表す。図１の無線通信ネットワークは、デバイス端末としての記憶装置１と、ホスト端末としてのＰＣ２とを有する。
【００３８】
記憶装置１は、バス１６によって接続された制御部１０と、アンテナ部を有する無線ＵＳＢデバイス部１１と、有線ＵＳＢデバイス部１２と、表示部１３と、操作部１４と、記憶部１５と、無線リンク確立部１７と、電源供給部１８とを有する。
【００３９】
制御部１０は、記憶部１５に記憶されたプログラムを実行することによって、記憶装置１の各部を制御することができる。無線ＵＳＢデバイス部１１は、アンテナを介してホスト端末であるＰＣ２と無線通信を行うことができる。有線ＵＳＢデバイス部１２は、無線通信を行う前に記憶装置１とＰＣ２との間を有線で接続し、ＰＣ２をホスト端末として関連付けるために用いられる。表示部１３は、ユーザにＰＣとの接続状態及び／又は通信状態並びに記憶装置１の機能設定等を示すことができる。例えば、表示部１３は、ディスプレイ、ＬＥＤ及び／又はブザー等であっても良い。操作部１４は、記憶装置１の電源のオン／オフ、接続されるＰＣの選択、及び／又はアクセス制限の設定を行うためのユーザインターフェースである。記憶部１５は、記憶装置１の各部を制御するためのプログラムを記憶するメモリ（例えば、ＲＡＭ、ＲＯＭなど。）と、ＰＣ２によって書き込まれたデータ及びＰＣ２によって読み出されるデータを記憶するメモリ（例えば、フラッシュメモリなど。）とを有する。無線リンク確立部１７は、ＰＣ２との無線リンクを確立及び切断することができる。電源供給部１８は、蓄電手段としてバッテリを有し、バッテリから記憶装置１の各部への電源供給を制御する。
【００４０】
一方、ＰＣ２は、バス２６によって接続された制御部２０と、アンテナ部を有する無線ＵＳＢホスト部２１と、有線ＵＳＢホスト部２２と、表示部２３と、操作部２４と、記憶部２５とを有する。
【００４１】
制御部２０は、記憶部２５に記憶されたプログラムを実行することによって、ＰＣ２の各部を制御することができる。無線ＵＳＢホスト部２１は、アンテナを介してデバイス端末である記憶装置１と無線通信を行うことができる。有線ＵＳＢホスト部２２は、無線通信を行う前に記憶装置１とＰＣ２との間をケーブルで接続し、記憶装置１をデバイス端末として関連付けるために用いられる。表示部２３はユーザに対する表示を行う。操作部２４はユーザからの操作を受け付ける。
【００４２】
図２は、本実施形態に従う記憶装置の機能構成を表すブロック図である。図２の記憶装置１には、説明を明りょうにするため、特に本発明に関連する表示部１３、操作部１４、無線リンク確立部１７及び電力供給部１８のみが示される。
【００４３】
無線リンク確立部１７は、識別情報記憶部１１０と、識別情報受信部１１２と、識別情報取得部１１４と、接続要求送信部１１６と、接続状態判別部１１８と、無線通信確認部１２０と、識別情報関連付け部１２２とを有する。識別情報記憶部１１０は、接続されるＰＣを識別する第１の識別情報と、第１の識別情報とは異なる第２の識別情報とを相互に関連付けて記憶する。本実施形態で、第１の識別情報は、ワイヤレスＵＳＢ無線システムにおいて実際の無線通信の前に行われるアソシエーションによってホスト端末としてのＰＣから通知されるホスト端末の識別情報（以降、ホストＩＤと称する。）であり、一方、第２の識別情報は、例えば、非接触式ＩＣカード等で用いられるＮＦＣ（Ｎｅａｒ  Ｆｉｅｌｄ  Ｃｏｍｍｕｎｉｃａｔｉｏｎ）のような近接無線通信を行う際に通信相手であるＰＣを識別するための識別情報（以降、ＮＦＣＩＤと称する。）である。識別情報受信部１１２は、ＮＦＣによってＰＣからＮＦＣＩＤを受信する。本実施形態で、識別情報受信部１１２は、ＮＦＣＩＰ−１（Ｎｅａｒ  Ｆｉｅｌｄ  Ｃｏｍｍｕｎｉｃａｔｉｏｎ  Ｉｎｔｅｒｆａｃｅ  ａｎｄ  Ｐｒｏｔｏｃｏｌ）に従う通信モジュールである。識別情報取得部１１４は、識別情報受信部１１２によってＰＣから受信したＮＦＣＩＤに関連付けられたホストＩＤを識別情報記憶部１１０から取得する。接続要求送信部１１６は、識別情報取得部１１４によって取得されたホストＩＤに対応するＰＣに無線リンクを確立するための接続要求を送信する。接続状態判別部１１８は、無線ＵＳＢデバイス部１１（図１）の状態から、接続要求送信部１１６によって接続要求を送信したＰＣとの接続状態を判別する。即ち、接続状態判別部１１８は、記憶装置１がワイヤレスＵＳＢによる無線通信を行うことができるようＰＣに接続されたかどうかを判断することができる。接続状態判別部１１８は、ＰＣとの接続が確立されるまでの時間が所定時間に達したかどうかを判断するためのタイマを有しても良い。無線通信確認部１２０は、接続要求送信部１１６によって接続要求を送信したＰＣとの間に確立された無線リンクにおいて無線通信が行われているかどうかを判断する。無線通信確認部１２０は、無線通信が行われない時間が所定時間に達した場合に無線通信が行われていないと判断するためのタイマを有しても良い。識別情報関連付け部１２２は、接続されるＰＣと有線又は無線によって通信を行って、ＰＣのホストＩＤを取得し、操作部１４に設けられたスイッチ（後述する機器切替え部１４０）の設定状態と関連付けて、識別情報記憶部１１０に保存する。識別情報関連付け部１２２は、有線ＵＳＢデバイス部１２（図１）に含まれても良く、その場合、スイッチの設定状態へのホストＩＤの割り当てはアソシエーションの際に行われ得る。
【００４４】
表示部１３は、接続状態判別部１１８によって確認された接続状態、無線通信確認部１２０によって確認された通信状態、及び／又は操作部１４によって設定される記憶装置１の機能をユーザに提示する接続状態表示部１３０を有する。接続状態表示部１３０は、ディスプレイ、ＬＥＤ及び／又はブザー等を有する。例えば、接続状態の提示では、ＰＣへの接続が確認されると、ＬＥＤの場合には点灯し、ブザーの場合には音を発し、ディスプレイの場合には「接続ＯＫ」と表示することが考えられる。
【００４５】
操作部１４は、機器切替え部１４０と、アクセス制限設定部１４２と、データ入出力制御部１４４とを有する。機器切替え部１４０は、識別情報関連付け部１２２によって１又はそれ以上のホストＩＤに関連付けられた設定状態を有する機械的なスイッチである。ユーザは、機器切替え部１４０を切り替えることによって、記憶装置１を接続したいＰＣを選択することができる。アクセス制限設定部１４２は、接続されるＰＣから記憶装置１へのアクセス制限を設定する機械的なスイッチである。アクセス制限には、「読み出しのみ」、「書き込みのみ」、「読み込み及び書き込み」、並びに「アクセス不可」がある。ユーザは、アクセス制限設定部１４２を切り替えることによって、このようなアクセス制限を記憶装置１に設定することができる。データ入出力制御部１４４は、アクセス制限設定部１４２の設定状態に基づいて、ＰＣとの間に確立された無線リンクにおけるデータ入出力を制御する。データ入出力制御部１４４は、制御部１０（図１）に含まれても良く、その場合、データの読み出し／書き込みを制御するよう無線ＵＳＢデバイス部１１及び記憶部１５を制御する。
【００４６】
電力供給部１８は、蓄電部（バッテリ）１５０と、電力供給制御部１５２とを有する。バッテリ１５０は一定電力を蓄え、電力供給制御部１５２は、バッテリ１５０から記憶装置１の各部への電力供給を制御する。電力供給制御部１５２は、接続状態判別部１１８によってＰＣとの接続が確立されないと判断される場合に及び／又は無線通信確認部１２０によって無線通信が行われていないと判断される場合に、バッテリ１５０からの電力供給を停止することができる。
【００４７】
図３は、本実施形態に従う記憶装置の外観の一例を表す。図３の記憶装置１は、表示部１３としてのスピーカ１３ａ、ＬＥＤ１３ｂ及びディスプレイ１３ｃと、機器切替え部１４０と、アクセス制限設定部１４２と、電源ボタン３０と、近接無線通信部３２と、ＵＳＢインターフェース（Ｉ／Ｆ）部３４とを有する。
【００４８】
記憶装置１は、電源ボタン３０がユーザによって押下されると電源が入り、内蔵するバッテリ１５０（図２）から記憶装置１の各部へ電力が供給される。近接無線通信部３２は、ＮＦＣによってＰＣと無線通信を行うための送受信部であり、識別情報受信部１１２（図２）を含む。ＵＳＢＩ／Ｆ部３４は、ホスト端末としてのＰＣへアソシエーションの際に挿入される。また、ＵＳＢＩ／Ｆ部３４は、アンテナ部を内蔵し、ワイヤレスＵＳＢによる無線通信をＰＣとの間で行うことができる。他の実施形態として、ＵＳＢＩ／Ｆ部３４は、ワイヤレスＵＳＢによる無線通信が不可能な環境で、ＰＣへ挿入することで有線によるＵＳＢ通信を行うことができる。
【００４９】
機器切替え部１４０は、例えば３つのスイッチを有する。各スイッチは異なるホストＩＤに関連付けられており、スイッチをオンにすることで、そのホストＩＤに対応するＰＣへ接続要求が送られる。
【００５０】
アクセス制限設定部１４２は、例えば４つのスイッチを有する。各スイッチは、記憶装置１へのアクセス制限設定「読み出しのみ」、「書き込みのみ」、「読み込み及び書き込み」、並びに「アクセス不可」に対応する。ユーザは、いずれか１つのスイッチをオンすることで、アクセス制限を設定することができる。
【００５１】
スピーカ１３ａ、ＬＥＤ１３ｂ及びディスプレイ１３ｃは、ＰＣとの接続状態及び通信状態と、機器切替え部１４０及びアクセス制限設定部１４２の設定とをユーザに提示する手段であって、例えば、接続状態の提示では、ＰＣへの接続が確認されると、ＬＥＤの場合には点灯し、ブザーの場合には音を発し、ディスプレイの場合には「接続ＯＫ」と表示する。本実施形態で、ＬＥＤ１３ｂは、機器切替え部１４０のスイッチをオンにすることで選択されるホスト端末の夫々について設けられている。例えば、機器切替え部１４０のスイッチの１つがオンにされ、記憶装置１がそのスイッチに関連付けられたホストＩＤを有するＰＣと接続される場合に、そのＰＣに対応するＬＥＤ１３ｂのうちの１つが、記憶装置１がＰＣに接続されている間点灯し続ける。
【００５２】
以下、本実施形態に従う記憶装置の動作について、更に詳細に説明する。
【００５３】
［１．ホスト端末との接続を確立するための動作］
図４は、ホスト端末への接続動作を説明するフロー図である。図４の接続動作は、記憶装置１に設けられた電源ボタン３０がユーザによって押下されることで開始される。
【００５４】
最初にステップＳ１０１で、近接無線通信部３２が起動し、識別情報受信部１１２は、記憶装置１の直ぐ近くにあるＰＣに、そのＰＣを特定する情報としてＮＦＣＩＤを要求する。記憶装置１からの要求に応じてＰＣから自身を特定するＮＦＣＩＤが送信されると、ステップＳ１０２で、識別情報受信部１１２はそのＮＦＣＩＤを受信する。識別情報受信部１１２は、ＮＦＣＩＤを受信するまでの時間が所定時間に達したかどうかを判断するためのタイマを有しても良く、その場合、ＮＦＣＩＤを取得できないならば、ステップＳ１０３で、ＮＦＣＩＤの要求を送信してから一定時間が経過したかどうかが判断される。識別情報受信部１１２は、一定時間が経過するまで、ＮＦＣＩＤの取得を試みる。ＮＦＣＩＤを受信できずに一定時間が経過したならば、識別情報受信部１１２は、ＮＦＣＩＤを受信することができなかった旨を識別情報取得部１０４に通知する。識別情報取得部１１４は、ステップＳ１０６で、機器切替え部１４０の設定状態を確認し、ステップＳ１０７で、その設定状態に関連付けられたホストＩＤを識別情報記憶部１１０から取得する。
【００５５】
一方、識別情報受信部１１２がＮＦＣＩＤを受信できた場合、識別情報受信部１１２は、そのＮＦＣＩＤを識別情報取得部１１４に通知する。識別情報取得部１１４は、ステップＳ１０４で、識別情報受信部１１２によって受信されたＮＦＣＩＤに関連付けられたホストＩＤを検索するために、識別情報記憶部１１０を参照する。識別情報取得部１１４は、ステップＳ１０５で所望のホストＩＤを見つけると、ステップＳ１０７でそのホストＩＤを読み出す。ステップＳ１０５で所望のホストＩＤを見つけることができない場合には、識別情報取得部１１４は、ステップＳ１０６で、機器切替え部１４０の設定状態を確認し、ステップＳ１０７で、その設定状態に関連付けられたホストＩＤを識別情報記憶部１１０から取得する。
【００５６】
ステップＳ１０８で、接続要求送信部１１６は、識別情報取得部１１４によって取得されたホストＩＤに対応するＰＣに無線リンクを確立するための接続要求を送信する。その後ステップＳ１０９で、接続状態判別部１１８は、無線ＵＳＢデバイス部１１（図１）の状態から、接続要求送信部１１６によって接続要求を送信したＰＣとの接続状態を判別する。記憶装置１がワイヤレスＵＳＢによる無線通信を行うことができるようＰＣに接続された場合には、ステップＳ１１０で、その旨が接続状態表示部１３０によって表示される。
【００５７】
また、接続状態判別部１１８は、ＰＣとの接続が確立されるまでの時間が所定時間に達したかどうかを判断するためのタイマを有しても良く、その場合、ＰＣとの接続が確認されないならば、ステップＳ１１１で、接続要求を送信してから一定時間が経過したかどうかが判断される。接続要求送信部１１６は、一定時間が経過するまで、ＰＣとの接続を試みる。ＰＣとの接続を確立できずに一定時間が経過したならば、記憶装置１は一連の接続動作を終了する。このとき、記憶装置１は、ＰＣへの接続を確立できなかった旨を接続状態表示部１３０に表示することによってユーザに通知しても良い。
【００５８】
このように、ＮＦＣのような近接無線通信及びホストＩＤを割り当てられたスイッチを利用することで、本実施形態に従う記憶装置は、ユーザ操作を必要とせずに、実質的に自動的にホスト端末との間に無線リンクを確立することができる。
【００５９】
次に、ＮＦＣＩＤに基づいて識別情報記憶部１１０からホストＩＤを取得する動作について、図５のフロー図を参照しながら詳述する。
【００６０】
最初に、近くに置かれたＰＣから送信されたＮＦＣＩＤが識別情報受信部１１２によって受信されると（図４のステップＳ１０２）、ステップＳ２０１で、識別情報取得部１１４は、識別情報受信部１１２によって受信されたＮＦＣＩＤを識別情報記憶部１１０に記憶されているＮＦＣＩＤと照合する。ステップＳ２０２で、識別情報取得部１１４は、識別情報受信部１１２によって受信されたＮＦＣＩＤに合致するＮＦＣＩＤが識別情報記憶部１１０に記憶されているかどうかを判断する。合致するＮＦＣＩＤが記憶されている場合には、ステップＳ２０３で、識別情報取得部１１４は、そのＮＦＣＩＤに関連付けられたホストＩＤを識別情報記憶部１１０から取得する。
【００６１】
［２．ホストＩＤを記憶するための動作］
次に、ホストＩＤをＮＦＣＩＤ及びスイッチの設定状態の夫々に関連付けて記憶するための動作について説明する。
【００６２】
図６は、ホストＩＤをＮＦＣＩＤに関連付けて記憶するための動作を説明するフロー図である。図６の動作は、最初にホスト端末とアソシエーションを行う際に行われる。
【００６３】
例えば、記憶装置１において有線ＵＳＢデバイス部１２（図１）を介して接続されたＰＣを「ホスト」として関連付けるアソシエーションが行われると、ホストＩＤを含む接続情報ＣＣが記憶装置１及びＰＣで共有される。ステップＳ３０１で、有線ＵＳＢデバイス部１２は、接続情報ＣＣに含まれるホストＩＤがまだ識別情報記憶部１１０においていずれのＮＦＣＩＤとも関連付けて記憶されていない新規の情報であるかどうかを判断する。ホストＩＤが新規の情報である場合には、ステップＳ３０２で、有線ＵＳＢデバイス部１２は、このホストＩＤを識別情報記憶部１１０に記憶する。一方、ホストＩＤが新規の情報でない場合には、有線ＵＳＢデバイス部１２はアソシエーションを終了する。
【００６４】
次いで、ステップＳ３０３で、記憶装置１は、近接接無線通信部３２を介して、ホスト端末として関連付けられたＰＣにＮＦＣＩＤを要求する。記憶装置１からの要求に応じてＰＣから自身を特定するＮＦＣＩＤが送信されると、ステップＳ３０４で、そのＮＦＣＩＤは識別情報受信部１１２によって受信され、先に記憶されたホストＩＤと関連付けられて識別情報記憶部１１０に記憶される。一方、ＮＦＣＩＤが識別情報受信部１１２で受信されない場合には、有線ＵＳＢデバイス部１２はアソシエーションを終了する。このとき、ＮＦＣＩＤが受信できず、ホストＩＤとの関連付けができなかった旨を、表示部１３を介してユーザに通知しても良い。
【００６５】
このようにホストＩＤをＮＦＣＩＤと関連付けて記憶することが可能であり、これによって、ＮＦＣのような近接無線通信を利用して、実質的に自動的にホスト端末との間に無線リンクを確立することができる。
【００６６】
図７は、本実施形態の記憶装置において、ホストＩＤを機器切替え部の設定状態に関連付けて記憶するための動作を説明するフロー図である。
【００６７】
最初にステップＳ４０１で、記憶装置１は、有線ＵＳＢデバイス部１２を介してＰＣへ接続される。ＰＣへ接続された後、ステップＳ４０２で、機器切替え部１４０のスイッチのうち、接続されたＰＣに関連付けたいスイッチがユーザによってオンにされる。
【００６８】
次いで、ステップＳ４０３で、電力供給制御部１５２は、記憶装置１の電源がオンされているかどうかを判断する。即ち、電力供給制御部１５２は、電力が、電源ボタン３０（図３）が押下されることによって、又は、有線ＵＳＢデバイス部１２を介してＰＣから電力を供給されることによって、記憶装置１の各部へ供給されているかどうかを判断する。電源がオンされていない場合には、ステップＳ４０４で、電力供給制御部１５２は自動的に電源をオンする。
【００６９】
電源がオンされた後、有線ＵＳＢデバイス部１２は、識別情報関連付け部１２２により、ステップＳ４０５で接続されたＰＣからホストＩＤを取得し、ステップＳ４０６で取得したホストＩＤをオンされているスイッチに関連付けて、識別情報記憶部１１０に記憶する。一方、ＰＣからホストＩＤを取得できなかった場合には、電源供給制御部１５２によって電源がオフされる。あるいは、その旨が表示部１３を介してユーザに通知される。
【００７０】
図７の動作は、図６で説明されたＮＦＣＩＤとの関連付け動作と同様に、最初にホスト端末とアソシエーションを行う際に行われても良い。その場合、機器切替え部１４０のいずれかのスイッチがオンされているかどうかによって、ＮＦＣＩＤ又はスイッチのどちらにホストＩＤを関連付けたいのかを判断することができる。
【００７１】
また、本実施形態では、スイッチに関連付けられるホストＩＤは、有線ＵＳＢデバイス部１２を介してＰＣから取得されたが、他の実施形態として、記憶装置１をＰＣの近くに置き、近接無線通信部３２（図３）を介してＮＦＣによってＰＣから取得されても良い。
【００７２】
このようにホストＩＤを機械的なスイッチである機器切替え部の設定状態と関連付けて記憶することが可能であり、これによって、機器切替え部の設定を変更することで、複雑な手順を経ることなくホスト端末との間に無線リンクを確立することができる。
【００７３】
図８は、機器切替え部の設定状態に関連付けて記憶されたホストＩＤを削除するための動作を説明するフロー図である。
【００７４】
最初にステップＳ５０１で、機器切替え部１４０のスイッチのうち、ホストＩＤとの関連付けを解除したいスイッチがオンにされる。
【００７５】
次いで、ステップＳ５０２で電源ボタン３０がユーザによって長押しされ、識別情報関連付け部１２２は、ステップＳ５０３で、電源ボタンが押下され始めてから一定時間が経過したかどうかを判断する。電源ボタンが押下され始めてから一定時間が経過すると、ステップＳ５０４で、識別情報関連付け部１２２は、オンされているスイッチに関連付けられて記憶されたホストＩＤを識別情報記憶部１１０から削除する。
【００７６】
ホストＩＤが識別情報記憶部１１０から削除された後、ステップＳ５０５で、表示部１３はその旨をユーザに通知する。
【００７７】
図９は、識別情報記憶部１１０の記憶テーブルの一例を表す。識別情報記憶部１１０は、一例として、図９のような記憶テーブル４０を有する。記憶テーブル４０は、ホストＩＤを格納する第１の列４２と、ＮＦＣＩＤを格納する第２の列４４と、機器切替え部１４０の設定状態（即ち、ホストＩＤを割り当てられるスイッチ。）を格納する第３の列４５とを有する。本実施形態で、機器切替え部１４０の設定状態とは、オン及びオフの間で切り替えられるスイッチのうち、どのスイッチがオンにされているかを意味する。相互に関連付けられるべき情報は、テーブルの同じ行に格納される。１つのホストＩＤにＮＦＣＩＤ及びスイッチの夫々が関連付けられても良い。
【００７８】
［３．自動的に電源をオフするための動作］
上記において、本実施形態に従う記憶装置は、ユーザ操作を必要とせずに、実質的に自動的にホスト端末との間に無線リンクを確立することができることが説明された。更に、本実施形態に従う記憶装置は、ホスト端末との間に確立された無線リンクを自動的に切断し、且つ、装置の電源を自動的にオフすることができる。図１０を参照して、自動的に無線リンクを切断し、且つ、電源をオフするための動作について説明する。
【００７９】
前提として、記憶装置１は、接続動作に関して図４を参照して説明したように、接続要求送信部１１６を介して、識別情報取得部１１４によって取得されたホストＩＤに対応するＰＣに無線リンクを確立するための接続要求を送信している（図４のステップＳ１０８）。
【００８０】
このような場合に、ステップＳ６０１で、接続状態判別部１１８は、無線ＵＳＢデバイス部１１（図１）の状態から、接続要求送信部１１６によって接続要求を送信したＰＣとの接続状態を判別する。記憶装置１がワイヤレスＵＳＢによる無線通信を行うことができるようＰＣに接続された場合には、次にステップＳ６０２で、無線通信確認部１２０は、接続要求送信部１１６によって接続要求を送信したＰＣとの間に確立された無線リンクにおいて無線通信が行われているかどうかを判断する。無線通信が行われている場合には、ステップＳ６０１に戻り、接続状態及び通信状態を確認する一連の処理（ステップＳ６０１及びＳ６０２）を繰り返す。
【００８１】
また、接続状態判別部１１８は、ＰＣとの接続が確立されるまでの時間が所定時間に達したかどうかを判断するためのタイマを有しても良く、その場合、ステップＳ６０１でＰＣとの接続が確認されないならば、ステップＳ６０３で、接続要求を送信してから一定時間が経過したかどうかが判断される。接続要求送信部１１６は、一定時間が経過するまで、ＰＣとの接続を試みる。ＰＣとの接続を確立できずに一定時間が経過したならば、ステップＳ６０６で、接続状態判別部１１８は、電力供給制御部１５２へＰＣとの接続が確立されない旨を通知し、これに応じて、電力供給制御部１５２は、バッテリ１５０から記憶装置１の各部への電力供給を停止して、電源をオフする。
【００８２】
一方、無線通信確認部１２０は、無線通信が行われない時間が所定時間に達した場合に無線通信が行われていないと判断するためのタイマを有しても良く、その場合、ステップＳ６０２でＰＣとの無線通信が確認されないならば、ステップＳ６０４で、無線通信が行われていないと確認されてから一定時間が経過したかどうかが判断される。無線通信が行われていないと確認されてから一定時間が経過したならば、ステップＳ６０５で、無線通信確認部１２０は、接続要求送信部１１６へ無線通信が行われていない旨を通知し、これに応じて、接続要求送信部１１６は接続中のＰＣに切断要求を送信する。ＰＣとの接続が切断された後、ステップＳ６０６で、接続状態判別部１１８は、電力供給制御部１５２へＰＣとの接続が切断された旨を通知し、これに応じて、電力供給制御部１５２は、バッテリ１５０から記憶装置１の各部への電力供給を停止して、電源をオフする。
【００８３】
このように、ホスト端末（本実施形態ではＰＣ。）との接続状態及び／又は通信状態を確認することで、記憶装置がデータ転送状態にない場合に、自動的にホスト端末との接続を切断するとともに、装置の電源をオフすることができる。従って、無駄な電力消費を防ぐことができ、バッテリの使用可能期間が延長され得る。
【００８４】
［４．アクセス制限を設定するための動作］
更に、本実施形態に従う記憶装置は、接続されるＰＣからのアクセス制限を設定することができる。図１１を参照して、接続されるＰＣから記憶装置へのアクセス制限を設定するための動作について説明する。
【００８５】
前提として、記憶装置１は、接続動作に関して図４を参照して説明したように、接続要求送信部１１６を介して、識別情報取得部１１４によって取得されたホストＩＤに対応するＰＣに無線リンクを確立するための接続要求を送信している（図４のステップＳ１０８）。
【００８６】
このような場合に、ステップＳ７０１で、接続状態判別部１１８は、無線ＵＳＢデバイス部１１（図１）の状態から、接続要求送信部１１６によって接続要求を送信したＰＣとの接続状態を判別する。
【００８７】
記憶装置１がワイヤレスＵＳＢによる無線通信を行うことができるようＰＣに接続された場合には、次にステップＳ７０２で、データ入出力制御部１４４は、アクセス制限設定部１４２の設定状態を確認する。このとき、アクセス制限設定部１４２は、図３に示されるような機械的なスイッチを切り替えられることによって、「読み出しのみ」、「書き込みのみ」、「読み込み及び書き込み」、並びに「アクセス不可」のいずれかを選択されている。ステップＳ７０３で、データ入出力制御部１４４は、アクセス制限設定部１４２の設定状態に基づいて、ＰＣとの間に確立された無線リンクにおけるデータ入出力を制御するアクセス制限を設定する。
【００８８】
設定されたアクセス制限の下、ステップＳ７０４で、記憶装置１は、無線ＵＳＢデバイス部１１を介してＰＣと無線通信を行う。その後、図１０を参照して説明された通信状態の確認動作（図１０のステップ６０２）が続く。
【００８９】
一方、ステップＳ７０１でＰＣとの接続が確認されない場合には、ステップＳ７０５で、接続要求を送信してから一定時間が経過したかどうかが判断される。接続要求送信部１１６は、一定時間が経過するまで、ＰＣとの接続を試みる。ＰＣとの接続を確立できずに一定時間が経過したならば、ステップＳ７０６で、接続状態判別部１１８は、電力供給制御部１５２へＰＣとの接続が確立されない旨を通知し、これに応じて、電力供給制御部１５２は、バッテリ１５０から記憶装置１の各部への電力供給を停止して、電源をオフする。
【００９０】
通常、無線通信システムでは、データのやり取りがケーブル内に限られる有線通信システムとは異なり、電波の届く範囲であればどこからでもアクセスが可能であるが、このようにアクセス制限を設定するための手段を設けることにより、セキュリティレベルを向上させることができる。
【００９１】
［変形例］
本発明は、無線通信装置の一例として、例えばＵＳＢメモリ等の記憶装置に関して説明されたが、ホスト及びデバイスといった主従関係が規定されている無線通信プロトコルに従って機器と無線通信を行う装置であれば、如何なる装置にも適用することが可能である。また、無線通信プロトコルは、ワイヤレスＵＳＢに限られず、ホスト及びデバイスといった主従関係が規定されている無線通信プロトコルであれば、如何なる無線通信プロトコルであっても良い。
【００９２】
また、本発明の機能は、ランダムアクセスメモリ（ＲＡＭ）、読出し専用メモリ（ＲＯＭ）、及びフラッシュメモリ等の記憶装置に格納されたプログラムによって、又はハードウェアとして実現されても良い。
【００９３】
以上、発明を実施するための最良の形態について説明を行ったが、本発明は、この最良の形態で述べた実施の形態に限定されるものではない。本発明の主旨を損なわない範囲で変更することが可能である。
【図面の簡単な説明】
【００９４】
【図１】本実施形態に従う記憶装置がホスト端末に接続された無線通信ネットワークを表す。
【図２】本実施形態に従う記憶装置の機能構成を表すブロック図である。
【図３】本実施形態に従う記憶装置の外観の一例を表す。
【図４】ホスト端末への接続動作を説明するフロー図である。
【図５】ＮＦＣＩＤに基づいて識別情報記憶部からホストＩＤを取得する動作を説明するフロー図である。
【図６】ホストＩＤをＮＦＣＩＤに関連付けて記憶するための動作を説明するフロー図である。
【図７】ホストＩＤを機器切替え部の設定状態に関連付けて記憶するための動作を説明するフロー図である。
【図８】機器切替え部の設定状態に関連付けて記憶されたホストＩＤを削除するための動作を説明するフロー図である。
【図９】識別情報記憶部の記憶テーブルの一例を表す。
【図１０】自動的に電源をオフするための動作を説明するフロー図である。
【図１１】接続されるＰＣから記憶装置へのアクセス制限を設定するための動作を説明するフロー図である。
【図１２】従来のワイヤレスＵＳＢのアソシエーション手順を説明するフロー図である。
【符号の説明】
【００９５】
１  記憶装置（無線通信装置）
２  ＰＣ（ホスト端末）
１１０  識別情報記憶部
１１２  識別情報受信部
１１４  識別情報取得部
１１６  接続要求送信部
１１８  接続状態判別部
１２０  無線通信確認部
１２２  識別情報関連付け部
１３０  接続状態表示部
１４０  機器切替え部
１４２  アクセス制限設定部
１４４  データ入出力制御部
１５０  バッテリ
１５２  電力供給制御部
【図１】
0004890422.tif 000002
【図２】
0004890422.tif 000003
【図３】
0004890422.tif 000004
【図４】
0004890422.tif 000005
【図５】
0004890422.tif 000006
【図６】
0004890422.tif 000007
【図７】
0004890422.tif 000008
【図８】
0004890422.tif 000009
【図９】
0004890422.tif 000010
【図１０】
0004890422.tif 000011
【図１１】
0004890422.tif 000012
【図１２】
0004890422.tif 000013